(57)【要約】【課題】  評価試験項目や各評価試験の測定項目が多岐にわたる直流電源装置の評価試験を簡単な操作で行えるようにする。【解決手段】  交流安定化電源装置２、入力側設定部４、入力値計測部３、負荷設定部７、負荷計測部６、制御部１０、設定値記憶部１２を備え、操作部１１により複数の評価試験項目が指定されたとき、当該評価試験項目に対応づけられた供給値や負荷設定値を設定値記憶部１２から取得して入力側設定部４と負荷設定部７に渡す動作を評価試験項目分繰り返して、直流電源装置評価のための複数の評価試験を連続して行う。【選択図】        図１
2006329719.tif 000002
【特許請求の範囲】
【請求項１】
設定された交流電圧値の電力を直流電源装置へ供給する交流電源装置と、前記交流電源装置に対して前記交流電圧値を含む供給値を設定する入力値設定手段と、前記交流電源装置から前記直流電源装置へ供給される交流電圧値を含む入力値を計測する入力値計測手段と、負荷電流または負荷電力を変化させて印加させることができる負荷手段と、前記負荷手段に負荷設定値を設定する負荷設定手段と、前記負荷手段に印加される負荷値を計測する負荷計測手段と、当該評価システム全体の制御を行う制御手段と、を備えた直流電源装置評価システムにおいて、
前記制御手段は複数の評価試験項目のそれぞれに対応づけて前記供給値および前記負荷設定値、または前記供給値および前記負荷設定値のもとになる入力条件情報および負荷条件情報を記憶しておく設定値記憶手段と、評価試験開始に際して複数の評価試験項目を指定させる試験項目指定手段とを備え、前記試験項目指定手段により複数の評価試験項目が指定されたとき、それぞれの評価試験項目に対応づけられた前記供給値および負荷設定値、または前記入力条件情報および負荷条件情報を前記設定値記憶手段から取得し、当該評価試験項目に対応する前記供給値および負荷設定値を前記入力値設定手段および負荷設定手段に渡す動作を繰り返すことにより、前記直流電源装置を評価するための複数の評価試験を連続して行うように制御することを特徴とする直流電源装置評価システム。
【請求項２】
請求項１記載の直流電源装置評価システムにおいて、前記制御手段は前記入力値設定手段により設定した前記供給値を用いて前記交流電源装置を制御すると共に、前記負荷設定手段により前記負荷手段を制御して前記直流電源装置の定格負荷に対する負荷比率を第１の負荷比率から第２の負荷比率まで所定間隔で静的に変化させ、そのときに前記負荷手段に印加される負荷電圧の変化を前記負荷計測手段により計測する静的負荷変動特性試験手段を備えたことを特徴とする直流電源装置評価システム。
【請求項３】
請求項２記載の直流電源装置評価システムにおいて、前記制御手段は前記第２の負荷比率を所定の負荷比率以上にすることにより、前記直流電源装置の過電流保護動作特性を試験する過電流保護動作特性試験手段を備えたことを特徴とする直流電源装置評価システム。
【請求項４】
請求項１記載の直流電源装置評価システムにおいて、前記制御手段は前記入力値設定手段により設定した前記供給値を用いて前記交流電源装置を制御すると共に、前記負荷設定手段により前記負荷手段を制御して前記直流電源装置の定格負荷に対する負荷比率を第１の負荷比率から第２の負荷比率まで所定間隔で静的に変化させ、そのときに前記負荷手段以外の負荷手段に印加される負荷電圧の変化を前記負荷計測手段により計測する相互負荷変動特性試験手段を備えたことを特徴とする直流電源装置評価システム。
【請求項５】
請求項１記載の直流電源装置評価システムにおいて、前記制御手段は前記入力値設定手段により設定した前記供給値を用いて前記交流電源装置を制御すると共に、前記負荷設定手段により前記直流電源装置の定格負荷に対する負荷比率を第１の比率から第２の比率まで所定間隔で静的に変化させ、そのときに前記負荷手段に印加される負荷のリプル電圧、または負荷のリプル電圧とリプルノイズ電圧を前記負荷計測手段により計測するリプルノイズ特性試験手段を備えたことを特徴とする直流電源装置評価システム。
【請求項６】
請求項１記載の直流電源装置評価システムにおいて、前記制御手段は前記入力値設定手段により設定した前記供給値を用いて前記交流電源装置を制御すると共に、前記負荷設定手段により前記直流電源装置の定格負荷に対する負荷比率を第１の比率から第２の比率まで所定間隔で静的に変化させ、そのときの前記直流電源装置の入力電圧、入力電流、電力効率、力率のうちのいずれか一部またはすべてを前記入力計測手段により計測する負荷変動入力特性試験手段を備えたことを特徴とする直流電源装置評価システム。
【請求項７】
請求項１記載の直流電源装置評価システムにおいて、前記制御手段は前記負荷設定手段により前記負荷設定値を設定して前記負荷手段の負荷電流の制御を行うとともに、前記入力値設定手段が前記供給値を設定することにより前記交流電源装置を制御して前記直流電源装置への入力電圧値を第１の電圧値から第２の電圧値まで所定の間隔で変化させ、そのときに前記負荷手段に印加される負荷電圧の変化を前記負荷計測手段により計測する静的入力変動特性試験手段を備えたことを特徴とする直流電源装置評価システム。
【請求項８】
請求項７記載の直流電源装置評価システムにおいて、前記制御手段は前記第２の電圧値を前記第１の電圧値よりも高い電圧とすると共に、さらに、同様にして前記直流電源装置への入力電圧値を第３の電圧値から当該第３の電圧値より低い第４の電圧値まで所定の間隔で変化させ、そのときに前記負荷手段に印加される負荷電圧の値を前記負荷計測手段により計測するパワーアップ・ダウン特性試験手段を備えたことを特徴とする直流電源装置評価システム。
【請求項９】
請求項１記載の直流電源装置評価システムにおいて、前記制御手段は前記負荷設定手段により前記負荷設定値を設定して前記負荷手段の負荷電流の制御を行うと共に、前記入力値設定手段が前記供給値を設定することにより前記交流電源手段を制御して前記直流電源装置への入力電圧値を第１の電圧値から第２の電圧値まで所定の間隔で変化させ、そのときに前記直流電源装置に入力される入力電圧、入力電流、電力効率、力率のいずれか一部またはすべてを前記入力計測手段により計測する入力変動入力特性試験手段を備えたことを特徴とする直流電源装置評価システム。
【請求項１０】
請求項１記載の直流電源装置評価システムにおいて、前記制御手段は前記入力値設定手段により前記供給値を設定して前記交流電源装置の制御を行うと共に、前記負荷設定手段により前記負荷手段を制御して前記直流電源装置の定格負荷に対する負荷比率を第３の比率から第４の比率へ動的に変化させ、そのときに前記負荷手段に印加される負荷電圧の変動を前記負荷計測手段により計測する動的負荷変動特性試験手段を備えたことを特徴とする直流電源装置評価システム。
【請求項１１】
請求項１記載の直流電源装置評価システムにおいて、前記制御手段は前記負荷設定手段により前記負荷設定値を設定して前記負荷手段の負荷電流の制御を行うと共に、前記入力値設定手段により前記供給値を設定して前記交流電源装置の制御を行い、前記直流電源装置への入力電圧値を第５の電圧値から第６の電圧値へ動的に変化させ、そのときに前記負荷手段に印加される負荷電圧の変化を前記負荷計測手段により計測する動的入力変動特性試験手段を備えたことを特徴とする直流電源装置評価システム。
【請求項１２】
請求項１記載の電源評価システムにおいて、前記制御手段は前記交流電源装置から前記直流電源装置への電力の投入および該電力の遮断を行う電力投入手段と、前記負荷設定手段により前記負荷設定値を設定して前記負荷手段の負荷電流の制御を行い、前記入力値設定手段により前記供給値を設定して前記交流電源装置の制御を行うと共に、前記電力投入手段により電力を投入して前記直流電源装置を起動させ、そのときに前記負荷手段に印加される負荷電圧を前記負荷計測手段で計測することにより、前記直流電源装置への電力投入時から前記直流電源装置の負荷電圧が所定の電圧値となるまでの時間を計測する立ち上がり時間試験手段とを備えたことを特徴とする直流電源装置評価システム。
【請求項１３】
請求項１記載の直流電源装置評価システムにおいて、前記制御手段は前記電力投入手段と、前記負荷設定手段により前記負荷設定値を設定して前記負荷手段の負荷電流の制御を行い、前記入力値設定手段により前記供給値を設定して前記交流電源装置の制御を行うとともに、前記電力投入手段により電力を投入して前記直流電源装置を起動させ、負荷電圧が安定した後に前記電力投入手段により電力供給を遮断し、そのときに前記負荷手段に印加される負荷電圧の値を前記負荷計測手段で計測することにより、前記直流電源装置への電力供給遮断時から前記負荷電圧が所定の電圧値になるまでの時間を計測する出力保持時間試験手段とを備えたことを特徴とする直流電源装置評価システム。
【請求項１４】
請求項１記載の直流電源装置評価システムにおいて、前記制御手段は前記電力投入手段と、前記負荷設定手段により前記負荷設定値を設定して前記負荷手段の負荷電流の制御を行い、前記入力値設定手段により前記供給値を設定して前記交流電源装置の制御を行うとともに、前記電力投入手段により電力を投入して前記直流電源装置を起動させ、負荷電圧が安定した後に前記電力投入手段により電力供給を遮断し、そのときに前記負荷電圧を負荷計測手段で計測することにより、前記直流電源装置の負荷電圧が第１の所定の電圧値から該電圧値より低い第２の所定の電圧値になるまでの時間を計測する立ち下がり時間試験手段とを備えたことを特徴とする直流電源装置評価システム。
【請求項１５】
請求項１記載の直流電源装置評価システムにおいて、前記制御手段は前記電力投入手段と、前記負荷設定手段により前記負荷設定値を設定して前記負荷手段の負荷電流の制御を行い、前記入力値設定手段により前記供給値を設定して前記交流電源装置の制御を行うと共に、前記電力投入手段により電力を投入して前記直流電源装置を起動させ、そのときの前記直流電源装置への入力電流を前記入力値計測手段により計測する突入電流特性試験手段とを備えたことを特徴とする直流電源装置評価システム。
【請求項１６】
請求項１記載の直流電源装置評価システムにおいて、前記制御手段は前記電力投入手段と、前記負荷設定手段により前記負荷設定値を設定して前記負荷手段の負荷電流の制御を行い、前記入力値設定手段により前記供給値を設定して前記交流電源装置の制御を行うと共に、前記電力投入手段により電力を投入して前記直流電源装置を起動させ、前記直流電源装置への電力投入時から所定時間経過するまでの間の前記負荷電圧の変化を計測する初期ドリフト特性試験手段とを備えたことを特徴とする直流電源装置評価システム。
【請求項１７】
請求項１記載の直流電源装置評価システムにおいて、前記制御手段は前記電力投入手段と、前記負荷設定手段により前記負荷設定値を設定して前記負荷手段の負荷電流の制御を行い、前記入力設定手段により前記供給値を設定して前記交流電源装置の制御を行うと共に、前記電力投入手段により電力を投入して前記直流電源装置を起動させ、そのときに前記負荷手段に印加される負荷電圧を前記負荷計測手段で計測することにより、前記直流電源装置への電力投入時から所定時間後を起点に他の所定時間が経過する間、前記負荷手段に印加される負荷電圧の変化を計測する経時ドリフト特性試験手段とを備えたことを特徴とする直流電源装置評価システム。
【請求項１８】
請求項１記載の直流電源装置評価システムにおいて、前記制御手段は前記電力投入手段と、前記負荷設定手段により前記負荷設定値を設定して前記負荷手段の負荷電流の制御を行うと共に、前記交流電源装置から前記直流電源装置への電力供給を前記電力投入手段により所定時間遮断させ、そのときに前記負荷手段に印加される負荷電圧の変動を前記負荷計測手段により計測する入力瞬断特性試験手段とを備えたことを特徴とする直流電源装置評価システム。
【請求項１９】
請求項１２乃至１８のいずれか一項に記載の直流電源装置評価システムにおいて、前記制御手段は前記入力値設定手段に前記電力投入手段を制御して前記交流電源装置からの電力の供給または遮断を制御する電力供給制御手段を備えたことを特徴とする直流電源装置評価システム。
【請求項２０】
請求項１乃至１９のいずれか一項に記載の直流電源装置評価システムにおいて、前記入力値設定手段は、供給交流周波数を５０Ｈｚと６０Ｈｚとの間で交互に切り替えさせる周波数設定と、５０Ｈｚまたは６０Ｈｚの何れか一方に設定する周波数設定とを行うことを特徴とする直流電源装置評価システム。
【請求項２１】
請求項１乃至２０のいずれか一項に記載の直流電源装置評価システムにおいて、前記直流電源装置の入出力波形を測定する波形測定手段を備えたことを特徴とする直流電源装置評価システム。
【発明の詳細な説明】
【技術分野】
【０００１】
本発明は、入力側が交流電源装置に接続され、出力側が負荷に接続されている直流電源装置の入出力特性を評価できる直流電源装置評価システムに関するものである。
【背景技術】
【０００２】
近年、家庭用／業務用機器を問わず、電子制御装置を搭載した機器が世の中にあふれている。それら電子制御装置の駆動源としての直流電源装置も数限りなくある。そのような直流電源装置に対しては、電子制御装置の機能・性能の向上に伴って、大出力、多出力、小型化の要求とともに、高い電力効率（発熱抑制ともなる）やノイズ発生防止、入力や負荷の変動に対する出力の安定性が望まれている。
そのようなことから、最近では直流安定化電源装置といえば、高効率小型軽量化の点で優れた、整流回路と高周波スイッチング方式のＤＣ−ＤＣコンバータを組み合わせたスイッチングレギュレータが主流となってきているが、多出力直流安定化電源装置ではさらに直列型制御回路を組み合わせたものもあり、複雑化してきている。
そしてその問題点もいくつかある。例えば、直流電源装置では、直流電源装置に障害が発生すると、本体機器がダウンするだけでなく、メモリ中の貴重な記録が損なわれたりする虞がある。また、機器組込み用の直流電源装置は無負荷で使用できるものは少なく、仕様により最小負荷と（定格負荷またはそれに近い）最大負荷が指定されているが、単独または組み込み中に誤って無負荷のまま電源が投入されたり、組み込み後にも誤って回路がショートされたりすることがあるので、それらによる直流電源装置の破損や無負荷時の異常電圧発生、ショートによる異常発熱によって本体機器の破損や焼損、発煙、発火など、重大事故を招く虞もある。
したがって、直流電源装置の評価は電源装置の重要な評価項目の１つであるが、以前は入出力条件を手入力して直流電源装置の特性評価を行なっていた。そのため、許容入力電圧範囲内で数多くの測定を行うに際し、入力電圧（ＡＣ）あるいは出力負荷を変えながら入出力の電圧、電流、電力を測定し、計算によって変動率・電力効率を求めねばならず、したがって、時間がかかり、操作が煩わしいためにミスも起き易かった。また、このような評価試験は測定項目が極めて多岐にわたるので測定データや計算により得られる特性データも多くなり、そのため、誤差の混入や整理ミス発生の虞もあった。さらに、項目、データ、結果の数が多いので、誤った判定を起こし易く、熟練した技術者でないと判断が困難であるという問題があった。
そのようなことから、特許文献１に示された従来技術では、人手によらず短時間で確実なデータが得られるとともに、結果データが判定しやすい形で得られる直流電源装置評価システムを提案している。具体的には、評価対象の直流電源装置の入力条件および負荷条件を制御装置によって自動的に設定できるようにして、その設定条件を順次変更しながら測定し、その測定結果を所定の形式にまとめて出力する。
【特許文献１】特開平５−５２６０４号公報
【発明の開示】
【発明が解決しようとする課題】
【０００３】
しかしながら、特許文献１に示された従来技術では、多数の評価試験項目から成る評価試験を行う際に、複数の評価試験を自動的に連続して行うことができないため評価作業の効率が悪いという問題があった。
本発明は、このような状況に鑑みてなされたものであり、評価試験項目および個々の評価試験の測定項目が極めて多岐にわたる直流電源装置の評価試験を行う際に、それぞれの評価試験を簡単な操作で行うことができるだけでなく、複数の評価試験を自動的に連続して行うことができるようにして、評価作業の効率をさらに向上させることができる直流電源装置評価システムを提供することを目的とする。
【課題を解決するための手段】
【０００４】
前記した課題を解決するために、請求項１記載の直流電源装置評価システムは、設定された交流電圧値の電力を直流電源装置へ供給する交流電源装置と、前記交流電源装置に対して前記交流電圧値を含む供給値を設定する入力値設定手段と、前記交流電源装置から前記直流電源装置へ供給される交流電圧値を含む入力値を計測する入力値計測手段と、負荷電流または負荷電力を変化させて印加させることができる負荷手段と、前記負荷手段に負荷設定値を設定する負荷設定手段と、前記負荷手段に印加される負荷値を計測する負荷計測手段と、当該評価システム全体の制御を行う制御手段とを備えた直流電源装置評価システムにおいて、前記制御手段は複数の評価試験項目のそれぞれに対応づけて前記供給値および前記負荷設定値、または前記供給値および前記負荷設定値のもとになる入力条件情報および負荷条件情報を記憶しておく設定値記憶手段と、評価試験開始に際して複数の評価試験項目を指定させる試験項目指定手段とを備え、前記試験項目指定手段により複数の評価試験項目が指定されたとき、それぞれの評価試験項目に対応づけられた前記供給値および負荷設定値、または前記入力条件情報および負荷条件情報を前記設定値記憶手段から取得し、当該評価試験項目に対応する前記供給値および負荷設定値を前記入力値設定手段および負荷設定手段に渡す動作を繰り返すことにより、前記直流電源装置を評価するための複数の評価試験を連続して行うように制御することを特徴とする。
請求項２記載の直流電源装置評価システムは、請求項１記載の直流電源装置評価システムにおいて、前記制御手段は前記入力値設定手段により設定した前記供給値を用いて前記交流電源装置を制御するとともに、前記負荷設定手段により前記負荷手段を制御して前記直流電源装置の定格負荷に対する負荷比率を第１の負荷比率から第２の負荷比率まで所定間隔で静的に変化させ、そのときに前記負荷手段に印加される負荷電圧の変化を前記負荷計測手段により計測する静的負荷変動特性試験手段を備えたことを特徴とする。
【０００５】
請求項３記載の直流電源装置評価システムは、請求項２記載の直流電源装置評価システムにおいて、前記制御手段は前記第２の負荷比率を所定の負荷比率以上にすることにより前記直流電源装置の過電流保護動作特性を試験する過電流保護動作特性試験手段を備えたことを特徴とする。
請求項４記載の直流電源装置評価システムは、請求項１記載の直流電源装置評価システムにおいて、前記制御手段は前記入力値設定手段により設定した前記供給値を用いて前記交流電源装置を制御するとともに、前記負荷設定手段により前記負荷手段を制御して前記直流電源装置の定格負荷に対する負荷比率を第１の負荷比率から第２の負荷比率まで所定間隔で静的に変化させ、そのときに前記負荷手段以外の負荷手段に印加される負荷電圧の変化を前記負荷計測手段により計測する相互負荷変動特性試験手段を備えたことを特徴とする。
請求項５記載の直流電源装置評価システムは、請求項１記載の直流電源装置評価システムにおいて、前記制御手段は前記入力値設定手段により設定した前記供給値を用いて前記交流電源装置を制御するとともに、前記負荷設定手段により前記直流電源装置の定格負荷に対する負荷比率を第１の比率から第２の比率まで所定間隔で静的に変化させ、そのときに前記負荷手段に印加される負荷のリプル電圧、または負荷のリプル電圧とリプルノイズ電圧を前記負荷計測手段により計測するリプルノイズ特性試験手段を備えたことを特徴とする。
請求項６記載の直流電源装置評価システムは、請求項１記載の直流電源装置評価システムにおいて、前記制御手段は前記入力値設定手段により設定した前記供給値を用いて前記交流電源装置を制御するとともに、前記負荷設定手段により前記直流電源装置の定格負荷に対する負荷比率を第１の比率から第２の比率まで所定間隔で静的に変化させ、そのときの前記直流電源装置の入力電圧、入力電流、電力効率、力率のうちのいずれか一部またはすべてを前記入力計測手段により計測する負荷変動入力特性試験手段を備えたことを特徴とする。
【０００６】
請求項７記載の直流電源装置評価システムは、請求項１記載の直流電源装置評価システムにおいて、前記制御手段は前記負荷設定手段により前記負荷設定値を設定して前記負荷手段の負荷電流の制御を行うとともに、前記入力値設定手段が前記供給値を設定するにより前記交流電源装置を制御して前記直流電源装置への入力電圧値を第１の電圧値から第２の電圧値まで所定の間隔で変化させ、そのときに前記負荷手段に印加される負荷電圧の変化を前記負荷計測手段により計測する静的入力変動特性試験手段を備えたことを特徴とする。
請求項８記載の直流電源装置評価システムは、請求項７記載の直流電源装置評価システムにおいて、前記制御手段は前記第２の電圧値を前記第１の電圧値よりも高い電圧とするとともに、さらに、同様にして前記直流電源装置への入力電圧値を第３の電圧値からその第３の電圧値より低い第４の電圧値まで所定の間隔で変化させ、そのときに前記負荷手段に印加される負荷電圧の値を前記負荷計測手段により計測するパワーアップ・ダウン特性試験手段を備えたことを特徴とする。
請求項９記載の直流電源装置評価システムは、請求項１記載の直流電源装置評価システムにおいて、前記制御手段は前記負荷設定手段により前記負荷設定値を設定して前記負荷手段の負荷電流の制御を行うとともに、前記入力値設定手段が前記供給値を設定するにより前記交流電源手段を制御して前記直流電源装置への入力電圧値を第１の電圧値から第２の電圧値まで所定の間隔で変化させ、そのときに前記直流電源装置に入力される入力電圧、入力電流、電力効率、力率のいずれか一部またはすべてを前記入力計測手段により計測する入力変動入力特性試験手段を備えたことを特徴とする。
【０００７】
請求項１０記載の直流電源装置評価システムは、請求項１記載の直流電源装置評価システムにおいて、前記制御手段は前記入力値設定手段により前記供給値を設定して前記交流電源装置の制御を行うとともに、前記負荷設定手段により前記負荷手段を制御して前記直流電源装置の定格負荷に対する負荷比率を第３の比率から第４の比率へ動的に変化させ、そのときに前記負荷手段に印加される負荷電圧の変動を前記負荷計測手段により計測する動的負荷変動特性試験手段を備えたことを特徴とする。
請求項１１記載の直流電源装置評価システムは、請求項１記載の直流電源装置評価システムにおいて、前記制御手段は前記負荷設定手段により前記負荷設定値を設定して前記負荷手段の負荷電流の制御を行うとともに、前記入力値設定手段により前記供給値を設定して前記交流電源装置の制御を行い、前記直流電源装置への入力電圧値を第５の電圧値から第６の電圧値へ動的に変化させ、そのときに前記負荷手段に印加される負荷電圧の変化を前記負荷計測手段により計測する動的入力変動特性試験手段を備えたことを特徴とする。
請求項１２記載の直流電源装置評価システムは、請求項１記載の電源評価システムにおいて、前記制御手段は前記交流電源装置から前記直流電源装置への電力の投入および該電力の遮断を行う電力投入手段と、前記負荷設定手段により前記負荷設定値を設定して前記負荷手段の負荷電流の制御を行い、前記入力値設定手段により前記供給値を設定して前記交流電源装置の制御を行うとともに、前記電力投入手段により電力を投入して前記直流電源装置を起動させ、そのときに前記負荷手段に印加される負荷電圧を前記負荷計測手段で計測することにより、前記直流電源装置への電力投入時から前記直流電源装置の負荷電圧が所定の電圧値となるまでの時間を計測する立ち上がり時間試験手段とを備えたことを特徴とする。
請求項１３記載の直流電源装置評価システムは、請求項１記載の直流電源装置評価システムにおいて、前記制御手段は前記電力投入手段と、前記負荷設定手段により前記負荷設定値を設定して前記負荷手段の負荷電流の制御を行い、前記入力値設定手段により前記供給値を設定して前記交流電源装置の制御を行うとともに、前記電力投入手段により電力を投入して前記直流電源装置を起動させ、負荷電圧が安定した後に前記電力投入手段により電力供給を遮断し、そのときに前記負荷手段に印加される負荷電圧の値を前記負荷計測手段で計測することにより、前記直流電源装置への電力供給遮断時から前記負荷電圧が所定の電圧値になるまでの時間を計測する出力保持時間試験手段とを備えたことを特徴とする。
【０００８】
請求項１４記載の直流電源装置評価システムは、請求項１記載の直流電源装置評価システムにおいて、前記制御手段は前記電力投入手段と、前記負荷設定手段により前記負荷設定値を設定して前記負荷手段の負荷電流の制御を行い、前記入力値設定手段により前記供給値を設定して前記交流電源装置の制御を行うとともに、前記電力投入手段により電力を投入して前記直流電源装置を起動させ、負荷電圧が安定した後に前記電力投入手段により電力供給を遮断し、そのときに前記負荷電圧を負荷計測手段で計測することにより、前記直流電源装置の負荷電圧が第１の所定の電圧値から該電圧値より低い第２の所定の電圧値になるまでの時間を計測する立ち下がり時間試験手段とを備えたことを特徴とする。
請求項１５記載の直流電源装置評価システムは、請求項１記載の直流電源装置評価システムにおいて、前記制御手段は前記電力投入手段と、前記負荷設定手段により前記負荷設定値を設定して前記負荷手段の負荷電流の制御を行い、前記入力値設定手段により前記供給値を設定して前記交流電源装置の制御を行うとともに、前記電力投入手段により電力を投入して前記直流電源装置を起動させ、そのときの前記直流電源装置への入力電流を前記入力値計測手段により計測する突入電流特性試験手段とを備えたことを特徴とする。
請求項１６記載の直流電源装置評価システムは、請求項１記載の直流電源装置評価システムにおいて、前記制御手段は前記電力投入手段と、前記負荷設定手段により前記負荷設定値を設定して前記負荷手段の負荷電流の制御を行い、前記入力値設定手段により前記供給値を設定して前記交流電源装置の制御を行うとともに、前記電力投入手段により電力を投入して前記直流電源装置を起動させ、前記直流電源装置への電力投入時から所定時間経過するまでの間の前記負荷電圧の変化を計測する初期ドリフト特性試験手段とを備えたことを特徴とする。
【０００９】
請求項１７記載の直流電源装置評価システムは、請求項１記載の直流電源装置評価システムにおいて、前記制御手段は前記電力投入手段と、前記負荷設定手段により前記負荷設定値を設定して前記負荷手段の負荷電流の制御を行い、前記入力設定手段により前記供給値を設定して前記交流電源装置の制御を行うとともに、前記電力投入手段により電力を投入して前記直流電源装置を起動させ、そのときに前記負荷手段に印加される負荷電圧を前記負荷計測手段で計測することにより、前記直流電源装置への電力投入時から所定時間後を起点に他の所定時間が経過する間、前記負荷手段に印加される負荷電圧の変化を計測する経時ドリフト特性試験手段とを備えたことを特徴とする。
請求項１８記載の直流電源装置評価システムは、請求項１記載の直流電源装置評価システムにおいて、前記制御手段は前記電力投入手段と、前記負荷設定手段により前記負荷設定値を設定して前記負荷手段の負荷電流の制御を行うとともに、前記交流電源装置から前記直流電源装置への電力供給を前記電力投入手段により所定時間遮断させ、そのときに前記負荷手段に印加される負荷電圧の変動を前記負荷計測手段により計測する入力瞬断特性試験手段とを備えたことを特徴とする。
請求項１９記載の直流電源装置評価システムは、請求項１２乃至１８のいずれか一項に記載の直流電源装置評価システムにおいて、前記制御手段は前記入力値設定手段に前記電力投入手段を制御して前記交流電源装置からの電力の供給または遮断を制御する電力供給制御手段を備えたことを特徴とする。
請求項２０記載の直流電源装置評価システムは、請求項１乃至１９のいずれか一項に記載の直流電源装置評価システムにおいて、前記入力値設定手段は、供給交流周波数を５０Ｈｚと６０Ｈｚとの間で交互に切り替えさせる周波数設定と、５０Ｈｚまたは６０Ｈｚの何れか一方に設定する周波数設定とを行うことを特徴とする。
請求項２１記載の直流電源装置評価システムは、請求項１乃至２０のいずれか一項に記載の直流電源装置評価システムにおいて、前記直流電源装置の入出力波形を測定する波形測定手段を備えたことを特徴とする。
【発明の効果】
【００１０】
本発明によれば、直流電源装置への入力条件や負荷条件を自動的に変え、そのときの直流電源装置への入力値や負荷手段に印加される負荷値を自動的に計測でき、さらに、直流電源装置を評価するための複数の評価試験を自動的に連続して行うことができるので、評価試験項目および個々の評価試験の測定項目が極めて多岐にわたる直流電源装置の評価試験を簡単な操作で効率良く行うことができる。
【発明を実施するための最良の形態】
【００１１】
以下、図面により本発明の実施形態を詳細に説明する。但し、この実施形態に記載される構成要素、種類、組み合わせ、形状、その相対位置などは特定的な記載がない限りこの説明の範囲をそれのみに限定する主旨ではなく、単なる説明例に過ぎない。
本発明の直流電源装置評価システムは設定された入力条件および負荷条件における直流電源装置の入出力値を測定することができ、利用者はその測定結果を用いて直流電源装置の特性を評価することができる。また、この直流電源装置評価システムは、評価対象の直流電源装置と、設定された電圧値の交流電力をその直流電源装置へ供給する交流安定化電源装置と、この直流電源装置評価システムの各部を制御する制御部などを持つ。
図１は、評価対象の直流電源装置を含む、直流電源装置評価システムの一実施形態の構成を示したブロック図である。図示したように、この直流電源装置評価システムは、評価対象の直流電源装置１、その直流電源装置１へ設定された交流電圧の電力を供給する交流安定化電源装置２、その交流安定化電源装置２から供給される入力電圧、入力電流、入力電力、電力効率、力率など、入力値を計測する入力値計測部３、前記交流安定化電源装置２に供給電圧値や供給交流周波数など供給値を設定したりする入力側設定部４、設定された値の負荷電流や負荷電力を印加可能にした負荷部５、その負荷部５に印加される負荷電圧、負荷電流、リプルノイズなど、負荷値を計測する負荷計測部６、負荷部５に負荷電流、負荷電圧、負荷電力、リプルノイズなど、負荷設定値を設定する負荷設定部７、スイッチ制御により後段の直流電源装置１などに電力を投入する電力投入部８、直流電源装置１の入出力波形を測定する波形測定部９、前記した各部を制御する制御部１０などを備えている。
図１に示したように、前記制御部１０は操作部１１および不揮発性メモリなどで実現した設定値記憶部１２を備え、各評価試験の入力条件、負荷条件など設定値を操作部１１により利用者に入力させ、その設定値を評価試験項目に対応付けて設定値記憶部１２に保存しておく。例えば評価試験項目が静的負荷変動特性試験であるならば、入力条件として入力電圧値と入力交流周波数、負荷条件として、定格負荷に対する負荷比率の最小値、最大値、最小最大値間のステップ間隔などを入力させ、保存するのである。
なお、制御部１０はプログラムに従って動作するＣＰＵやそのプログラムを記憶しておくメモリを備えており、あらかじめプログラミングしておくことにより以下の各実施例の動作フローを実行できる。
また、直流電源装置１は着脱可能な構成であり、このような直流電源装置１を交換して複数の直流電源装置を１つの直流電源装置評価システムで評価できる。
また、この実施形態では、請求項記載の入力値計測手段、入力値設定手段、負荷手段、負荷計測手段、負荷設定手段、電力投入手段、波形測定手段、制御手段、試験項目指定手段、設定値記憶手段、電力供給制御手段がそれぞれ、入力値計測部３、入力側設定部４、負荷部５、負荷計測部６、負荷設定部７、電力投入部８、波形測定部９、制御部１０、制御部１０および操作部１１、設定値記憶部１２、入力側設定部４により実現される。
このような構成で、この直流電源装置評価システムでは、評価試験時、図２に示したような評価試験項目選択画面で複数の評価試験項目を選択し、選択した複数項目の評価試験を自動的に連続して行うことができる。以下、各実施例について説明する。
【実施例１】
【００１２】
図３は実施例１の動作フローである。以下、図３に従ってこの動作フローを説明する。
この実施例の直流電源装置評価システム（以下、評価システムと称す）では、図１に示したような構成で、まず、制御部１０が図２に示したような評価試験項目選択画面を表示させ、操作部１１により評価試験項目を選択させる（ステップ１）。例えば、項目１と項目３を連続して実行させる場合には“１、３”、項目１から項目４まで連続して実行させる場合には“１−４”というように入力させるのである。
この入力が行われると、制御部１０は入力された評価試験項目中の当該項目（ここでは最初の項目）に対応づけられた設定値または試験条件情報を設定値記憶部１２から取得する（ステップ２）。変化させる供給電圧値の設定間隔など試験条件情報を取得した場合にはその試験条件情報から設定値を計算する。
次に、制御部１０は取得した入力条件に係る供給値（例えば供給電圧値）を入力側設定部４に渡す。なお、設定の繰り返しがある場合には１回目の供給値のみを渡す。これにより、入力側設定部４はそれを交流安定化電源部２内のレジスタに設定する。また、制御部１０は負荷設定値（設定の繰り返しがある場合には１回目の設定値）を負荷設定部７に渡し、負荷設定部７は負荷設定値を負荷部５内のレジスタに設定する（ステップ３）。交流安定化電源部２はレジスタに設定された電圧値や周波数などに応じて内蔵回路の接続を切り替える。これにより、交流安定化電源装置２は、交流周波数が複数のうちのいずれかであり、電圧値が複数のうちのいずれかである交流電力を供給可能な状態になる（繰り返しの２巡目以降で、電力投入状態であれば、この時点で設定された電力が供給される）（ステップ４）。また、負荷部５はレジスタに設定された負荷設定値に応じて負荷部５内の負荷回路の接続を切り替える（ステップ４）。
【００１３】
続いて、入力側設定部４は電力投入部８のスイッチ制御を行なって電力投入状態にする。こうして、設定に応じた交流電力が交流安定化電源装置２から直流電源装置１へ供給され、その直流電源装置１から負荷部５へ電力が供給される（ステップ５）。しかし、直流電源装置１の特性のバラツキなどから直流電源装置１に実際に入力される入力電圧など入力値は供給値どおりではなく、また負荷に与えられる負荷電流など負荷値は負荷設定値どおりではない。そこで、次に、入力値計測部３は所定の諸入力値を計測し、負荷計測部６は所定の諸負荷値を計測する（ステップ６）。また、波形測定部９は直流電源装置１の入力側の波形および出力側の波形を測定する（ステップ６）。
この後は、入力値計測部３から計測結果を取得した入力側設定部４、負荷計測部６から計測結果を取得した負荷設定部７、および波形測定部９がそれぞれ測定結果を制御部１０へ送り（ステップ７）、制御部１０は取得した計測データをメモリに記憶し、設定値記憶部１２から取得した入力条件の供給値および負荷条件の負荷設定値の組み合わせについて測定が終了したか否かを判定し（ステップ８）、終了していなければ（ステップ８でＮｏ）、次の組み合わせについてステップ３から繰り返す。
こうして、当該評価試験項目のすべての測定が終了すると（ステップ８でＹｅｓ）、利用者から指定されたすべての評価試験項目について測定が終了したか否かを判定し（ステップ９）、終了していなければ（ステップ９でＮｏ）、次の評価試験項目についてステップ２から繰り返す。そして、すべての評価試験項目の測定が終了すると（ステップ９でＹｅｓ）、制御部１０は記憶しておいた測定データを所定の形式にまとめ、まとめた結果をプリンタなどにより出力する（ステップ１０）。
こうして、この実施例によれば、一度だけ供給値、負荷設定値、および計測条件の組み合わせを入力しておけば、複数の評価試験項目の評価作業がすべて自動で行われ、まとめられた評価結果を得ることができるので、評価試験項目および測定項目が極めて多岐にわたる直流電源装置の評価試験を簡単な操作で行うことができ、大量の測定データを誤りなく且つ手をかけずに整理することもでき、したがって、正しい評価を効率的な作業で下すことができる。
【実施例２】
【００１４】
実施例２では、実施例１において、図１に示した構成の評価システムが請求項２記載の静的負荷変動特性試験手段としても動作するにより静的負荷変動特性試験を行うことができる。
この実施例では、利用者の静的負荷変動特性試験の選択に応じて負荷設定部７により負荷設定値を設定する際、設定値記憶部１２から取得した設定値に従って直流電源装置１の定格負荷に対する負荷比率Ａから負荷比率Ｂへ（例えば０％から１２０％へ）、設定された間隔（例えば５％間隔）で静的に（負荷設定の動作ステップが再び回ってくるごとに）負荷部５の負荷を変化させ、そのときに負荷部５に印加される負荷電圧値の変動を負荷計測部６により測定する。
動作フローは実施例１と同様である。出力結果を図４に示す。図４において、ＶＯＬＴＡＧＥは負荷電圧値、ＣＣＬＯＡＤは定格負荷に対する負荷比率である。また、［Ｖ］、［Ａ］は単位で、それぞれボルト、アンペアを意味する。
これにより、この実施例では、直流電源装置１の静的負荷変動特性を容易な操作で短時間に且つ正確に評価することができる。また、静的負荷変動特性試験を他の項目の評価試験と一緒に連続的に行うことができる。
【実施例３】
【００１５】
実施例３では、実施例１において、図１に示した構成の評価システムが請求項３記載の過電流保護動作特性試験手段としても動作するにより過電流保護動作特性試験を行うことができる。
この実施例では、利用者の過電流保護動作試験の選択に応じて負荷設定部７により負荷設定値を設定する際、設定値記憶部１２から取得した設定値に従って、実施例２に示した負荷比率Ｂを例えば２００％とし、静的に（段階的に順番に）負荷部５の負荷を変化させ、そのときに負荷部５に印加される負荷電圧値の変動を負荷計測部６により測定する。
これにより、この実施例では、直流電源装置１の過電流保護動作を容易な操作で短時間に且つ正確に評価することができる。また、過電流保護動作試験を他の項目の評価試験と一緒に連続的に行うことができる。
【実施例４】
【００１６】
実施例４では、実施例１において、図１に示した構成の評価システムが請求項５記載のリプルノイズ特性試験手段としても動作するによりリプルノイズ特性試験を行うことができる。
この実施例では、利用者のリプルノイズ試験の選択に応じて負荷設定部７により負荷設定値を設定する際、設定値記憶部１２から取得した設定値に従って、負荷設定部７により、直流電源装置１の定格負荷に対する負荷比率Ａから負荷比率Ｂへ（例えば０％から１２０％へ）、設定された間隔（例えば５％間隔）で静的に負荷部５の負荷を変化させ、そのときに負荷部５に印加される負荷のリプル電圧およびリプルノイズ電圧を負荷計測部６により測定する。
動作フローは実施例１と同様である。出力結果の一例を図５に示す。図５において、ＣＣＬＯＡＤは定格負荷に対する比率である。また、ＲＩＰＰＬＥはリプル電圧、ＲＩＰＰＬＥＮＯＩＳＥおよびＲＩＰＰＬＥＮはリプルノイズ電圧を意味する。
こうして、この実施例によれば、直流電源装置１のリプルノイズ特性を容易な操作で短時間に且つ正確に評価することができる。また、リプルノイズ特性試験を他の項目の評価試験と一緒に連続的に行うことができる。
【実施例５】
【００１７】
実施例５では、実施例１において、図１に示した構成の評価システムが請求項６記載の負荷変動入力特性試験手段としても動作するにより負荷変動時の入力特性試験を行うことができる。
この実施例では、利用者の負荷変動時の入力特性試験の選択に応じて負荷設定部７により負荷値を設定する際、設定値記憶部１２から取得した設定値に従って、負荷設定部７により、直流電源装置１の定格負荷に対する負荷比率Ｃから負荷比率Ｄへ（例えば０％から１２０％へ）、設定された間隔（例えば５％間隔）で静的に負荷部５の負荷を変化させ、そのときの直流電源装置１への入力電圧、入力電流、電力効率、力率などを入力値計測部３により測定する。出力結果の一例を図６に示す。図６においてＩｏｕｔは負荷電流値、Ｉｉｎは入力電流値、Ｗｉｎは入力電力値、ＶＡｉｎ（＝Ｖｉｎ×Ｉｉｎ）は入力電圧値と入力電流値の積、Ｗｏｕｔは出力電力値、Ｗｅｆ（＝Ｗｏｕｔ／Ｗｉｎ）は電力効率、ＶＡｅｆ（＝Ｗｏｕｔ／Ｖａｉｎ）はＶＡ効率、ＰＦ（＝Ｗｉｎ／ＶＡｉｎ）は力率である。
動作フローは実施例１と同様である。
こうして、この実施例によれば、負荷変化時の直流電源装置１の入力特性を容易な操作で短時間に且つ正確に評価することができる。また、負荷変化時の入力特性試験を他の項目の評価試験と一緒に連続的に行うことができる。
【実施例６】
【００１８】
実施例６では、実施例１において、図１に示した構成の評価システムが請求項７記載の静的入力変動特性試験手段としても動作するにより静的入力変動特性試験を行うことができる。
この実施例では、利用者の静的入力変動特性試験の選択に応じて直流電源装置１の評価を行う際、設定値記憶部１２から取得した設定値に従って負荷設定部７により負荷値を設定して負荷部５の負荷電流の制御を行い、入力側設定部４により、直流電源装置１の入力電圧範囲の所定値Ｃから所定値Ｄへ（例えば８３Ｖから１３８Ｖへ）設定された間隔（例えば５Ｖ）で交流安定化電源装置２に供給電圧値を設定して交流安定化電源装置２の出力を静的に変化させ、そのときに負荷部５に印加される負荷電圧の変動を負荷計測部６により測定する。
動作フローは実施例１と同様である。出力結果の一例を図７に示す。図７において、Ｖｉｎは入力電圧値、ＶｃｃＥ、Ｖｃｃ２、Ｖｃａ、Ｖｃｂ、Ｖａａはいずれも負荷電圧値である。
これにより、この実施例では、直流電源装置１の静的入力変動特性を容易な操作で短時間に且つ正確に評価することができる。また、静的入力変動特性試験を他の項目の評価試験と一緒に連続的に行うことができる。
【実施例７】
【００１９】
実施例７では、実施例１において、図１に示した構成の評価システムが請求項９記載の入力変動入力特性試験手段としても動作するにより入力電圧変動時の入力特性試験を行うことができる。
この実施例では、利用者の入力電圧変動時の入力特性試験の選択に応じて、負荷設定部７により負荷値を設定して負荷部５の負荷電流の制御を行い、その負荷条件のもとで直流電源装置１の評価を行う際、設定値記憶部１２から取得した設定値に従って、入力側設定部４により、直流電源装置１の入力電圧範囲の所定値Ｅから所定値Ｆへ（例えば０Ｖから１３８Ｖへ）設定された間隔（例えば５Ｖ）で交流安定化電源装置２に供給電圧値を設定して交流安定化電源装置２の出力を静的に変化させ、そのときの直流電源装置１の入力電圧、入力電流、電力、電力効率、および力率を入力値計測部３により測定する。出力結果の一例を図８に示す。図８において、Ｖｉｎは入力電圧値、Ｉｉｎは入力電流値、Ｗｉｎは入力電力値である。
動作フローは実施例１と同様である。
これにより、この実施例では、入力変動時の直流電源装置１の入力特性を容易な操作で短時間に且つ正確に評価することができる。また、入力変動時の入力特性試験を他の項目の評価試験と一緒に連続的に行うことができる。
【実施例８】
【００２０】
実施例８では、実施例１において、図１に示した構成の評価システムが請求項８記載のパワーアップ・ダウン特性試験手段としても動作するによりパワーアップ・ダウン特性試験を行うことができる。
この実施例では、利用者のパワーアップ・ダウン特性試験の選択に応じて、負荷設定部７により負荷値を設定して負荷部５の負荷電流の制御を行い、その負荷条件のもとで直流電源装置１の評価を行う際、設定値記憶部１２から取得した設定値に従って、入力側設定部４により、直流電源装置１の入力電圧範囲の所定値Ｅからそれより高い所定値Ｆへ（例えば０Ｖから１３８Ｖへ）設定された間隔（例えば５Ｖ）で交流安定化電源装置２に供給電圧値を設定して、交流安定化電源装置２の出力を静的に変化させる。さらに、直流電源装置１の入力電圧範囲の所定値Ｇからそれより低い所定値Ｈへ（例えば１３８Ｖから０Ｖへ）設定された間隔（例えば５Ｖ）で交流安定化電源装置２に供給電圧値を設定して、交流安定化電源装置２の出力を静的に変化させる。そして、その間、負荷部５に印加される負荷電圧値を負荷計測部６により測定する。
出力結果の一例を図９に示す。図９において、Ｖｉｎは入力電圧値、その他は負荷電圧値である。動作フローは実施例１と同様である。
これにより、この実施例では、直流電源装置１のパワーアップ・ダウン特性を容易な操作で短時間に且つ正確に評価することができる。また、パワーアップ・ダウン特性試験を他の項目の評価試験と一緒に連続的に行うことができる。
【実施例９】
【００２１】
この実施例では、図１に示した構成の評価システムが請求項１２記載の立ち上がり時間試験手段としても動作するにより、利用者の立ち上がり時間特性試験の選択に応じて直流電源装置１の立ち上がり時間を評価できる。図１０はこの実施例の動作フローである。以下、図１０に従ってこの動作フローを説明する。
この実施例では、図１に示したような構成で、まず、制御部１０が図２に示したような評価試験項目選択画面を表示させ、操作部１１により立ち上がり時間特性試験を選択させる（ステップ１１）。なお、前記したように他の評価試験項目も一緒に選択できる。
この入力が行われると、制御部１０は立ち上がり時間特性試験に対応づけられた設定値を設定値記憶部１２から取得する（ステップ１２）。
次に、制御部１０は取得した入力条件に係る供給値を入力側設定部４に渡し、入力側設定部４はその供給値を交流安定化電源部２内のレジスタに設定し、同様にして、負荷設定部７は負荷設定値を負荷部５内のレジスタに設定する（ステップ１３）。交流安定化電源部２はレジスタに設定された電圧値や周波数値などに応じて回路の接続を切り替える。これにより交流周波数が複数のうちのいずれかであり、その電圧値が複数のうちのいずれかである交流電力を供給可能な状態になる（ステップ１４）。また、負荷部５はレジスタに設定された負荷設定値に応じて負荷回路の接続を切り替える（ステップ１４）。
続いて、入力側設定部４は電力投入部８のスイッチ制御を行なって電力投入状態にし、直流電源装置１を起動させる（ステップ１５）。また、制御部１０を介して負荷設定部７に起動通知を行う。これにより、負荷設定部７は内部に備えているタイマを起動する（ステップ１６）。
一方、負荷計測部６は負荷部５に印加された負荷電圧を測定する状態にあり、負荷設定部７はタイマ起動後、負荷計測部６により測定された負荷電圧値を周期的に取得する。そして、その負荷電圧値が所定の電圧値（例えば定格負荷電圧値の９０％の値）となったならば（ステップ１７でＹｅｓ）、タイマを停止させ、そのときのタイマの値を取得し、その値を直流電源装置１の立ち上がり時間とする（ステップ１８）。
その後、負荷設定部７はその立ち上がり時間を制御部１０に渡し、制御部１０は設定されたすべての条件について測定が終了していなければ（ステップ１９でＮｏ）、電力供給を停止して、ステップ１３へ戻る。そして、すべての条件における立ち上がり時間測定を終了すると（ステップ１９でＹｅｓ）、取得した測定結果をまとめ（ステップ２０）、まとめた結果をプリンタなどにより出力する（ステップ２１）。他の評価試験項目も選択されていれば、続いてその評価試験の動作に移る。
出力結果の一例を図１１に示す。図１１において、Ｖｉｎは入力電圧値、Ｖｘｘは負荷電圧である。
こうして、この実施例によれば、直流電源装置１の各条件下における立ち上がり時間を簡単な操作で短時間に且つ正確に評価することができる。また、立ち上がり時間特性試験を他の項目の評価試験と一緒に連続的に行うことができる。
【実施例１０】
【００２２】
実施例１０では、図１に示した構成の評価システムが請求項１３記載の出力保持時間試験手段としても動作するにより、利用者の出力保持時間特性試験の選択に応じて直流電源装置１の出力保持時間を評価できる。
この実施例では、実施例９と同様にして直流電源装置１を起動させ、負荷電圧が安定した後、入力側設定部４が電力投入部８を制御して交流安定化電源装置２からの電力供給を停止させる。そして、負荷部５に印加されている停止後の負荷電圧の値を負荷計測部６により測定して、実施例９と同様にして負荷設定部７のタイマを起動し、交流安定化電源装置２からの電力供給停止時から直流電源装置１の負荷電圧値が所定の電圧値（例えば定格負荷電圧値の９０％の電圧値）となるまでの時間を測定する。以下、実施例９と同様にして測定結果を出力する。出力結果の一例を図１１に示す。図１１において、Ｖｉｎは入力電圧値、Ｖｘｘは負荷電圧である。
こうして、この実施例によれば、直流電源装置１の出力保持時間を簡単な操作で短時間に且つ正確に評価することができる。また、出力保持時間特性試験を他の項目の評価試験と一緒に連続的に行うことができる。
【実施例１１】
【００２３】
実施例１１では、図１に示した構成の評価システムが請求項１４記載の立ち下がり時間試験手段としても動作するにより、利用者の立ち下がり時間特性試験の選択に応じて直流電源装置１の立ち下がり時間を評価できる。
この実施例では、実施例９と同様にして直流電源装置１を起動させ、負荷電圧が安定した後、入力側設定部４が電力投入部８を制御して交流安定化電源装置２からの電力供給を停止させる。そして、負荷部５に印加されている停止後の負荷電圧の値を負荷計測部６により測定し、直流電源装置１の負荷電圧値が所定の電圧値Ａ（例えば定格負荷電圧値の９０％の電圧値）となったときに負荷設定部７のタイマを起動し、そのときから電圧値Ａより低い所定の電圧値Ｂ（例えば定格負荷電圧値の１０％）になるまでの時間を測定する。以下、実施例９と同様にして測定結果を出力する。出力結果の一例を図１１に示す。図１１において、Ｖｉｎは入力電圧値、Ｖｘｘは負荷電圧である。
こうして、この実施例によれば、直流電源装置１の立ち下がり時間を簡単な操作で短時間に且つ正確に評価することができる。また、立ち下がり時間特性試験を他の項目の評価試験と一緒に連続的に行うことができる。
【実施例１２】
【００２４】
実施例１２では、図１に示した構成の評価システムが請求項１５記載の突入電流特性試験手段としても動作するにより、利用者の突入電流特性試験の選択に応じて直流電源装置１の突入電流特性を評価できる。図１２はこの実施例の動作フローである。以下、図１２に従ってこの動作フローを説明する。
まず、制御部１０が図２に示したような評価試験項目選択画面を表示させ、操作部１１により突入電流特性試験を選択させる（ステップ３１）。なお、前記したように他の評価試験項目も一緒に選択できる。
この入力が行われると、制御部１０は突入電流特性試験に対応づけられた設定値を設定値記憶部１２から取得する（ステップ３２）。
次に、制御部１０は取得した入力条件に係る供給値を入力側設定部４に渡し、入力側設定部４はそれを交流安定化電源部２内のレジスタに設定する。同様にして、負荷設定部７は負荷設定値を負荷部５内のレジスタに設定する（ステップ３３）。交流安定化電源部２はレジスタに設定された電圧値や周波数値などに応じて回路の接続を切り替える。これにより、交流周波数が複数のうちのいずれかであり、その電圧値が複数のうちのいずれかである交流電力が供給可能な状態になる（ステップ３４）。また、負荷部５はレジスタに設定された負荷設定値に応じて負荷回路の接続を切り替える（ステップ３４）。
続いて、入力側設定部４は電力投入部８のスイッチ制御を行なって電力投入状態にし、直流電源装置１を起動させ（ステップ３５）、入力値計測部３により入力電流を測定する（ステップ３６）。
その後、入力側設定部４は測定された入力電流を制御部１０に渡し、制御部１０はすべての試験条件における入力電流の測定が終了していないならば（ステップ３７でＮｏ）、ステップ３３へ戻り、すべての試験条件における測定が終了すると（ステップ３７でＹｅｓ）、取得した測定結果をまとめ（ステップ３８）、まとめた結果をプリンタなどにより出力する（ステップ３９）。他の評価試験項目も選択されていれば、続いてその評価試験の動作に移る。
出力結果の一例を図１３に示す。
こうして、この実施例によれば、設定された条件下における直流電源装置１の突入電流を簡単な操作で短時間に且つ正確に評価することができる。また、突入電流特性試験を他の項目の評価試験と一緒に連続的に行うことができる。
【実施例１３】
【００２５】
この実施例では、図１に示した構成の評価システムが請求項１６記載の初期ドリフト特性試験手段としても動作するにより、利用者の初期ドリフト特性試験の選択に応じて直流電源装置１の初期ドリフト特性を評価できる。図１４はこの実施例の動作フローである。以下、図１４に従ってこの動作フローを説明する。
この実施例の評価システムでは、まず、制御部１０が図２に示したような評価試験項目選択画面を表示させ、操作部１１により初期ドリフト特性試験を選択させる（ステップ４１）。なお、前記したように他の評価試験項目も一緒に選択できる。
この入力が行われると、制御部１０は初期ドリフト特性試験に対応づけられた設定値を設定値記憶部１２から取得する（ステップ４２）。そして、制御部１０は取得した入力条件に係る供給値を入力側設定部４に渡し、入力側設定部４はその供給値を交流安定化電源部２内のレジスタに設定する。同様にして、負荷設定部７は負荷設定値を負荷部５内のレジスタに設定する（ステップ４３）。
こうして、交流安定化電源部２はレジスタに設定された電圧値や周波数値などに応じて回路の接続を切り替え、これにより、交流周波数が複数のうちのいずれかでありその電圧値が複数のうちのいずれかである交流電力が供給可能な状態になる（ステップ４４）。また、負荷部５はレジスタに設定された負荷設定値に応じて負荷回路の接続を切り替える（ステップ４４）。
続いて、入力側設定部４は電力投入部８のスイッチ制御を行なって電力投入状態にし、直流電源装置１を起動させる（ステップ４５）。また、制御部１０を介して負荷設定部７に起動通知を行う。これにより、負荷設定部７は内部に備えているタイマを起動する（ステップ４６）。そして、負荷設定部７はタイマ起動時に負荷計測部６により負荷部５に印加された負荷電圧を測定する（ステップ４７）。さらに、タイマから経過時間を取得することにより、起動後から例えば１分ごとに３０分間、同様にして負荷電圧を測定する（ステップ４７）。
その後、負荷設定部７は測定結果を制御部１０に渡す（ステップ４８）。制御部１０は取得済みのすべての試験条件について測定が終了したか否かを判定し（ステップ４９）、終了していなければ（ステップ４９でＮｏ）、ステップ４３から繰り返し、測定が終了すると（ステップ４９でＹｅｓ）、取得した測定結果をまとめ、まとめた結果をプリンタなどにより出力する（ステップ５０）。他の評価試験項目も選択されていれば、続いてその評価試験の動作に移る。
出力結果の一例を図１５に示す。図１５において、Ｖｘｘは負荷電圧である。
こうして、この実施例によれば、直流電源装置１の初期ドリフトを簡単な操作で短時間に且つ正確に評価することができる。また、初期ドリフト特性試験を他の項目の評価試験と一緒に連続的に行うことができる。
【実施例１４】
【００２６】
実施例１４では、図１に示した構成の評価システムが請求項１７記載の経時ドリフト特性試験手段としても動作するにより、実施例１３と同様にして利用者の経時ドリフト特性試験の選択に応じて直流電源装置１の経時ドリフト特性を評価できる。
この実施例では、負荷設定部７により負荷設定値を設定して負荷部５の負荷電流を制御し、制御された負荷条件のもとで、入力側設定部４により供給値を設定して交流安定化電源装置２の入力制御を行い、直流電源装置１を起動させ、負荷部５に印加される負荷電圧を負荷計測部６により測定する。但し、実施例１３と異なり、ここでは、直流電源装置１の起動時を起点に、所定時間経過後から他の所定時間経過後まで（例えば３０分後から８時間後まで）の間において、負荷部５に印加された負荷電圧の値を所定時間ごとに測定する。
動作フローは実施例１３と同様である。
これにより、この実施例では、直流電源装置１の経時ドリフト特性を簡単な操作で短時間に且つ正確に評価することができる。また、経時ドリフト特性試験を他の項目の評価試験と一緒に連続的に行うことができる。
【実施例１５】
【００２７】
実施例１５では、図１に示した構成の評価システムが請求項４記載の相互負荷変動特性試験手段としても動作するにより、利用者の相互負荷変動特性試験の選択に応じて直流電源装置１の相互負荷変動特性を評価できる。
この実施例では、相互負荷変動特性試験に対応づけられた設定値を設定値記憶部１２から取得し、負荷設定部７により負荷設定値を設定する際、直流電源装置１の定格負荷に対する負荷比率Ａから負荷比率Ｂへ（例えば０％から１２０％へ）、設定された間隔（例えば５％間隔）で静的に負荷部５の負荷を変化させ、そのときに、負荷設定部７により負荷設定値が設定されている負荷以外の負荷部６に印加される負荷電圧を負荷計測部６により測定する。
動作フローは実施例１と同様である。出力結果の一例を図１６に示す。
これにより、この実施例では、直流電源装置１の相互負荷変動特性を容易な操作で短時間に且つ正確に評価することができる。また、相互負荷変動特性試験を他の項目の評価試験と一緒に連続的に行うことができる。
【実施例１６】
【００２８】
この実施例では、図１に示した構成の評価システムが請求項１１記載の動的入力変動特性試験手段としても動作するにより、利用者の動的入力変動特性試験の選択に応じて動的入力変動特性を評価することができる。この実施例の動作フローを図１７に示す。以下、図１７に従ってこの動作フローを説明する。
まず、制御部１０が図２に示したような評価試験項目選択画面を表示させ、操作部１１により動的入力変動特性試験を選択させる（ステップ５１）。なお、前記したように他の評価試験項目も一緒に選択できる。
この入力が行われると、制御部１０は動的入力変動特性試験に対応づけられた設定値を設定値記憶部１２から取得する（ステップ５２）。そして、制御部１０は取得した入力条件に係る供給値を入力側設定部４に渡し、入力側設定部４はそれを交流安定化電源部２内のレジスタに設定する。同様にして、負荷設定部７は負荷設定値を負荷部５内のレジスタに設定する（ステップ５３）。交流安定化電源部２はレジスタに設定された電圧値や周波数値などに応じて回路の接続を切り替える。これにより、交流周波数が複数のうちのいずれかであり、その電圧値が複数のうちのいずれかである交流電力が供給可能な状態になる（ステップ５４）。また、負荷部５はレジスタに設定された負荷設定値に応じて負荷回路の接続を切り替える（ステップ５４）。
続いて、入力側設定部４は電力投入部８のスイッチ制御を行なって電力投入状態にする（ステップ５５）。こうして、設定に応じた交流電力が交流安定化電源装置２から直流電源装置１へ供給され、その直流電源装置１から負荷部５へ電力が供給される。
【００２９】
次に、入力側設定部４が、制御部１０から受け取った入力条件をもとに、直流電源装置１の入力電圧範囲の所定電圧値Ｊから所定電圧値Ｋへ（例えば８３Ｖから１３８Ｖへ）動的に（次の回ってくる動作ステップを待たずに、数百ミリ秒くらい時間間隔で連続的に）供給電圧値を設定し、さらに所定電圧値Ｋから所定電圧値Ｊへ供給電圧値を動的に設定するという動作を繰り返し始める。これにより、交流安定化電源装置２は２つの電圧値の電力を交互に繰り返して供給する動作を開始し（ステップ５６）、負荷設定部７はそのときに負荷部５に印加される負荷電圧の変動を負荷計測部６により測定する動作を開始する（ステップ５７）。
こうして、所定時間の測定が終わると（ステップ５８でＹｅｓ）、負荷設定部７は測定結果を制御部１０に渡し（ステップ５９）。制御部１０は取得済みのすべての試験条件について測定が終了したか否かを判定し（ステップ６０）、終了していなければ（ステップ６０でＮｏ）、ステップ５３から繰り返し、測定が終了すると（ステップ６０でＹｅｓ）、取得した測定結果をまとめ、まとめた結果をプリンタなどにより出力する（ステップ６１）。他の評価試験項目も選択されていれば、続いてその評価試験の動作に移る。
出力結果の一例を図１８に示す。
こうして、この実施例によれば、直流電源装置１の動的入力変動特性を簡単な操作で短時間に且つ正確に評価することができる。また、動的入力変動特性試験を他の項目の評価試験と一緒に連続的に行うことができる。
【実施例１７】
【００３０】
実施例１７では、図１に示した構成の評価システムが請求項１８記載の入力瞬断特性試験手段としても動作するにより、利用者の入力瞬断特性試験の選択に応じて入力瞬断特性を評価することができる。
この実施例では、まず、設定値記憶部１２から負荷設定値および供給値を取得し、負荷設定部７により負荷設定値を設定して負荷部５の負荷電流を制御したもとで、入力側設定部４が供給値を設定することにより交流安定化電源装置２を制御する。そして、直流電源１へ電力が供給されている状態にした後、電力投入部８により供給電力を所定時間（供給値の１つで、例えば１０ｍＳ〜１００ｍＳ）停止させ、そのときに負荷部５に印加される負荷電圧の変動を負荷計測部６により測定する。このような動作を、供給値および負荷設定値を変え、その組み合わせを自動的に変えて設定し直して繰り返し、測定結果をまとめ、出力する。その後は、他の評価試験項目が選択されていれば、その評価試験の動作に移る。
出力結果の一例を図１９に示す。図１９において、ＡＣＩＮＶは交流入力電圧値、ＡＣＩＮＦは交流入力周波数を意味する。
こうして、この実施例では、直流電源装置１の入力瞬断特性を簡単な操作で短時間に且つ正確に評価することができる。また、入力瞬断特性試験を他の項目の評価試験と一緒に連続的に行うことができる。
【実施例１８】
【００３１】
実施例１８では、図１に示した構成の評価システムが請求項１０記載の動的負荷変動特性試験手段としても動作するにより、利用者の動的負荷変動特性試験の選択に応じて動的負荷変動特性を評価することができる。
この実施例では、設定値記憶部１２から取得した設定値を用いて、入力側設定部４により供給値を設定して交流安定化電源装置２を制御し、その制御のもとで、負荷設定部４により直流電源装置１の負荷を動的に変化させ、そのときに負荷部５に印加される負荷電圧の変動を負荷計測部６により測定する。なお、負荷を動的に変化させるとは、ここでは、測定中に、定格負荷に対する負荷比率Ｌの状態を１００ミリ秒前後続けてから負荷比率Ｍへ（例えば０％から１２０％）へ、さらに負荷比率Ｍの状態を１００ミリ秒前後続けてから負荷比率Ｌへ切り替える動作を所定時間繰り返すことである。
動作フローは図１７に示した実施例１６の動作フローとほぼ同じであるが、ステップ５６では、供給電圧値を動的に設定する動作を繰り返して交流安定化電源装置２を制御する動作を開始する代わりに、負荷設定値を動的に設定する動作を繰り返して負荷を制御する動作を開始する。
こうして、この実施例によれば、直流電源装置１の動的負荷変動特性を簡単な操作で短時間に且つ正確に評価することができる。また、動的負荷変動特性試験を他の項目の評価試験と一緒に連続的に行うことができる。
【実施例１９】
【００３２】
この実施例では、前記した各実施例において、入力側設定部４は、供給する交流電力の周波数を設定する際、初期設定では、予め定めた５０Ｈｚまたは６０Ｈｚの何れか一方に設定し、その後は、制御部１０からの指示に応じて、５０Ｈｚまたは６０Ｈｚの何れか一方に設定するか、５０Ｈｚと６０Ｈｚとの間で所定時間ごとに交互に切り替えて設定する。設定値記憶部１２に、評価試験項目に対応づけて前記した３つの周波数設定のいずれかを保存しておき、利用者から評価試験項目が指示されたとき、制御部１０は評価試験項目に対応した周波数設定値を設定値記憶部１２から取得し、その周波数設定値に従って周波数設定を行うのである。
こうして、これによれば、各評価試験の際、単に５０Ｈｚまたは６０Ｈｚの何れか一方で評価試験を行うだけでなく、両方の周波数で効率的に評価試験を行うことができる。
【実施例２０】
【００３３】
この実施例では、前記各実施例において、波形測定部９により直流電源装置１の入出力波形を観測できるようにする。具体的には、積分値などではない、その瞬間々々の電圧値などを検出できる波形測定部９を用いて、前記各実施例で測定を行う際に、波形測定部９は、入出力波形をＸＹ平面上に示すことができるように、時系列で所定時間ごと（例えば０．１ミリ秒ごと）に所定期間にわたって測定した例えば入力電圧の瞬間値と負荷電圧の瞬間値を制御部１０に渡し、制御部１０は受け取った測定結果データを前記各実施例の測定結果データと対応づけて記憶しておき、測定終了後、結果をまとめる際に、Ｘ軸を時間とし、予め定めた所定時間間隔の複数の経過時間列をＸ軸の値とし、波形測定部９から取得しておいたデータ列をその経過時間列に対応するＹ軸の値としてグラフ化し、各実施例の測定結果をまとめた出力項目に対応づけるための説明用文字列を付加してプリンタまたは表示装置に出力する。
こうして、この実施例によれば、利用者は入出力波形も見ることができるので、測定結果がさらにわかりやすくなり、直流電源装置の評価をさらに正確に行うことができる。
以上、各実施例について説明したが、前記においては、交流電源装置は交流安定化電源装置とした。しかし、交流電源装置は安定化機能を持たない一般的な交流電源装置であってもよい。
【図面の簡単な説明】
【００３４】
【図１】本発明の一実施形態の構成を示す、直流電源装置を含む直流電源装置評価システムのブロック図。
【図２】本発明の直流電源装置評価システムにおける評価試験項目選択画面の表示例を示す図。
【図３】本発明の第１の実施例を示す、直流電源装置評価システムの動作フロー図。
【図４】本発明の第２の実施例の直流電源装置評価システムにおける評価試験結果の出力例を示す図。
【図５】本発明の第４の実施例の直流電源装置評価システムにおける評価試験結果の出力例を示す図。
【図６】本発明の第５の実施例の直流電源装置評価システムにおける評価試験結果の出力例を示す図。
【図７】本発明の第６の実施例の直流電源装置評価システムにおける評価試験結果の出力例を示す図。
【図８】本発明の第７の実施例の直流電源装置評価システムにおける評価試験結果の出力例を示す図。
【図９】本発明の第８の実施例の直流電源装置評価システムにおける評価試験結果の出力例を示す図。
【図１０】本発明の第９の実施例を示す、直流電源装置評価システムの動作フロー図。
【図１１】本発明の第９、第１０、および第１１の実施例の直流電源装置評価システムにおける評価試験結果の出力例を示す図。
【図１２】本発明の第１２の実施例を示す、直流電源装置評価システムの動作フロー図。
【図１３】本発明の第１２の実施例の直流電源装置評価システムにおける評価試験結果の出力例を示す図。
【図１４】本発明の第１３の実施例を示す、直流電源装置評価システムの動作フロー図。
【図１５】本発明の第１３の実施例の直流電源装置評価システムにおける評価試験結果の出力例を示す図。
【図１６】本発明の第１５の実施例の直流電源装置評価システムにおける評価試験結果の出力例を示す図。
【図１７】本発明の第１６の実施例を示す、直流電源装置評価システムの動作フロー図。
【図１８】本発明の第１６の実施例の直流電源装置評価システムにおける評価試験結果の出力例を示す図。
【図１９】本発明の第１７の実施例の直流電源装置評価システムにおける評価試験結果の出力例を示す図。
【符号の説明】
【００３５】
１  直流電源装置
２  交流安定化電源装置
３  入力値計測部
４  入力側設定部
５  負荷部
６  負荷計測部
７  負荷設定部
８  電力投入部
９  波形測定部
１０  制御部
１１  操作部
１２  設定値記憶部
【図１】
2006329719.tif 000003
【図２】
2006329719.tif 000004
【図３】
2006329719.tif 000005
【図４】
2006329719.tif 000006
【図５】
2006329719.tif 000007
【図６】
2006329719.tif 000008
【図７】
2006329719.tif 000009
【図８】
2006329719.tif 000010
【図９】
2006329719.tif 000011
【図１０】
2006329719.tif 000012
【図１１】
2006329719.tif 000013
【図１２】
2006329719.tif 000014
【図１３】
2006329719.tif 000015
【図１４】
2006329719.tif 000016
【図１５】
2006329719.tif 000017
【図１６】
2006329719.tif 000018
【図１７】
2006329719.tif 000019
【図１８】
2006329719.tif 000020
【図１９】
2006329719.tif 000021